(57)【要約】【課題】ポンプ式の液体移動装置を用いて液体と沈殿物とからなる混合流体の液体のみを移動させる際に、沈殿物を液体と同時に吸引してしまうことがないようにする。【解決手段】移動元容器２から液体Ａを吸引するための吸引管１０と、移動先容器３に液体を吐出するための吐出管１１と、吸引管１０と吐出管１１とを接続するポンプ１２と、を備え、吸引管１０の先端は上向きのＵ字形状となっていること特徴とする液体移動装置１である。【選択図】図２
2018119455.tif 000002
【特許請求の範囲】
【請求項１】
液体と沈殿物とからなる混合流体の液体のみを移動元容器から移動先容器に移動させるための液体移動装置であって、
該移動元容器から液体を吸引するための吸引管と、
該移動先容器に液体を吐出するための吐出管と、
該吸引管と該吐出管とを接続するポンプと、を備え、
該吸引管の先端は上向きのＵ字形状となっていること特徴とする液体移動装置。
【発明の詳細な説明】
【技術分野】
【０００１】
本発明は、液体と沈殿物とからなる混合流体が入った容器から液体のみを取り出す液体移動装置に関する。
【背景技術】
【０００２】
従来、液体が溜められた容器から液体を取り出す場合には、例えば、液体を吸い上げる吸引管と、液体を吸引管に吸い上げるための吸引力を生み出すポンプと、吸い上げた液体を吐出する吐出管とを備えるポンプ式の液体移動装置が用いられている（例えば、特許文献１参照）。
【先行技術文献】
【特許文献】
【０００３】
【特許文献１】特開２０１２−２１９７０６号公報
【発明の概要】
【発明が解決しようとする課題】
【０００４】
しかし、従来のポンプ式の液体移動装置は液体吸引時に吸引管の吸引口が下方を向いた状態になるため、例えば、容器内の液体が沈殿物との混合流体である場合に、液体のみを吸引したくても沈殿物も同時に吸引してしまう場合がある。
【０００５】
よって、ポンプ式の液体移動装置を用いて液体と沈殿物とからなる混合流体の液体のみを移動させる場合には、沈殿物を液体と同時に吸引してしまうことがないようにするという課題がある。
【課題を解決するための手段】
【０００６】
上記課題を解決するための本発明は、液体と沈殿物とからなる混合流体の液体のみを移動元容器から移動先容器に移動させるための液体移動装置であって、該移動元容器から液体を吸引するための吸引管と、該移動先容器に液体を吐出するための吐出管と、該吸引管と該吐出管とを接続するポンプと、を備え、該吸引管の先端は上向きのＵ字形状となっていること特徴とする液体移動装置である。
【発明の効果】
【０００７】
本発明に係る液体移動装置は、吸引管の先端が上向きのＵ字形状となっているため、液体と沈殿物とからなる混合流体の液体のみを移動させる際に、吸引管の先端である吸引口を沈殿物に直接対向させていない状態で液体を吸引することが可能になるため、沈殿物を吸い上げることなく液体のみを吸引して移動先容器に移動させることが可能となる。
【図面の簡単な説明】
【０００８】
【図１】液体移動装置の一例を示す側面図である。
【図２】液体移動装置を用いて液体と沈殿物とからなる混合流体の液体のみを移動元容器から移動先容器に移動させている状態を示す断面図である。
【発明を実施するための形態】
【０００９】
図１に示す液体移動装置１は、いわゆるサイフォンの原理を利用して液体を移動させることができる装置であり、液体を吸引するための吸引管１０と、液体を吐出するための吐出管１１と、吸引管１０と吐出管１１とを接続するポンプ１２とを少なくとも備えている。
【００１０】
例えば塩ビ等のプラスチック材料からなる吸引管１０は、直管１００と、吸引管１０の先端となるＵ字管１０１とから構成されている。直管１００の上端はポンプ１２の接続口１２ａに連通している。直管１００の下端側に一体的に又は取り外し可能に接続されているＵ字管１０１は、液体を吸い込む吸引口１０１ａを備えており、吸引口１０１ａは上側を向いた状態になっている。すなわち、吸引管１０の先端は上向きのＵ字形状となっている。なお、例えば、Ｕ字管１０１を取り外し可能な構成としている場合には、吸引管１０は、直管１００及びＵ字管１０１の両方に接続可能な所定長さの延長管をさらに備えることで、その全長が延長可能となっていてもよい。
【００１１】
ポンプ１２は、例えば蛇腹状に形成された手動ポンプであり、作業者が手でポンプ１２を圧縮した後、圧縮を解除することでＵ字管１０１から直管１００へと液体を吸引するための吸引力を生み出すことができる。ポンプ１２の吐出口１２ｂには、フレキシブルホース等からなる吐出管１１が一体的に又は取り外し可能に接続されている。
【００１２】
以下に、液体移動装置１を用いて、図２に示す液体Ａと沈殿物Ｂとからなる混合流体Ｌの液体Ａのみを移動元容器２から移動先容器３に移動させる場合について説明する。本実施形態において、例えば、移動元容器２に溜められている液体Ａは、ウエーハ切削装置に備えられる電鋳切削ブレードを製造する際に使用された電解液等であり、液体Ａ中に混合されており移動元容器２の底に沈殿している沈殿物Ｂは、例えば、電鋳切削ブレードに含まれる砥粒等である。なお、液体Ａ及び沈殿物Ｂの種類等は、本実施形態における例に限定されるものではない。
【００１３】
まず、液体移動装置１の吸引管１０を移動元容器２に挿し入れ、少なくともＵ字管１０１の吸引口１０１ａが液体Ａの液面より上に出ておらず、また、例えば、Ｕ字管１０１の底面が移動元容器２の底に沈殿している沈殿物Ｂよりも僅かに上方にある高さ位置に位置付くまで、吸引管１０を降下させる。また、移動先容器３内に液体移動装置１の吐出管１１を挿し入れる。
【００１４】
吸引管１０のＵ字管１０１を移動元容器２の内部の上記の高さ位置に位置付けた後、作業者が手でポンプ１２の圧縮と圧縮の解除とを繰り返して吸引力を生み出すと、ポンプ１２により生み出された吸引力が吸引管１０の先端となるＵ字管１０１の吸引口１０１ａに伝達される。Ｕ字管１０１の吸引口１０１ａに伝達された吸引力により、液体Ａは吸引管１０内部に吸引されていく。そして、吸引管１０の先端となるＵ字管１０１の吸引口１０１ａは上側を向いており、移動元容器２の底に沈殿している沈殿物Ｂに直接対向していないため、Ｕ字管１０１は沈殿物Ｂを吸引しない。したがって、液体Ａと沈殿物Ｂとからなる混合流体Ｌの液体Ａのみが、吸引管１０によってポンプ１２に向かって汲み上げられていく。
【００１５】
吸引管１０によって汲み上げられた液体Ａは、ポンプ１２を介して吐出管１１内へと移動し、吐出管１１から移動先容器３の内部に吐出される。このように、吸引管１０による混合流体Ｌからの液体Ａのみの吸引を繰り返していくと、移動元容器２内の液体Ａの水位は徐々に下がっていき、液体Ａの液面の高さ位置が移動元容器２の底に沈殿している沈殿物Ｂの高さ位置に近付いていく。しかし、吸引管１０の先端となるＵ字管１０１の吸引口１０１ａは上側を向いているため、常に吸引口１０１ａよりも上側に位置している液体Ａが吸引されていくため、移動元容器２内の混合流体Ｌに沈殿物Ｂを拡散し上昇させる水流を発生させることがない。そのため、液体移動装置１は、混合流体Ｌの液体Ａのみを移動元容器２から移動先容器３に安定して移動させ続けられる。
【００１６】
例えば、ポンプ１２による吸引をし続けた結果、移動元容器２内部の液体Ａの液面の高さ位置がＵ字管１０１の吸引口１０１ａの高さ位置よりも下になったならば、ポンプ１２による吸引力の発生を一度停止し、例えば、移動元容器２を＋Ｙ方向側（図２においては紙面手前側）から見て時計回り方向に傾け、液体Ａ及び沈殿物Ｂを移動元容器２内の＋Ｘ方向側の隅に集めてから沈殿物Ｂを再び沈殿させた後に、吸引管１０による残りの液体Ａの吸引を再度開始することで、液体Ａのほとんど全てを移動元容器２から吸引して移動先容器３へと移動させることができる。
【００１７】
なお、本発明に係る液体移動装置１は本実施形態に限定されるものではなく、また、添付図面に図示されている装置の各構成の形状等についても、これに限定されず、本発明の効果を発揮できる範囲内で適宜変更可能である。
【符号の説明】
【００１８】
１：液体移動装置  １０：吸引管  １００：直管  １０１：Ｕ字管  １０１ａ：吸引口
１１：吐出管  １２：ポンプ
２：移動元容器  ３：移動先容器
Ｌ：混合流体  Ａ：液体  Ｂ：沈殿物
【図１】
2018119455.tif 000003
【図２】
2018119455.tif 000004